(57)【要約】【課題】  発信者番号通知サービスを受けて着信時において相手先の電話番号が自動取得されたときには、ボタン操作等を必要とすることなく、当該電話番号に予め対応付けされた通話音量または通話音質が自動設定されるようにする。【解決手段】  着信があると回線から発呼側の電話番号を取得可能な電話装置であって、通話音量及び／又は通話音質を設定する設定手段と、当該設定手段により設定された通話音量及び／又は通話音質を、前記電話番号に対応づけて格納する格納手段と、着信があり回線から電話番号を取得すると、前記格納手段を参照して、前記回線からの電話番号に対応づけられた通話音量又は通話音質に自動設定する自動設定手段と、を有し、回線から取得した電話番号が移動通信装置の電話番号であると判定すると、通話開始時における通話音量及び／又は通話音質を、予め装置に設定されているデフォルトの通話音量及び／又は通話音質にすることを特徴とする。【選択図】  図１
2011055106.tif 000002
【特許請求の範囲】
【請求項１】
着信があると回線から発呼側の電話番号を取得可能な電話装置であって、
通話音量及び／又は通話音質を設定する設定手段と、
当該設定手段により設定された通話音量及び／又は通話音質を、前記電話番号に対応づけて格納する格納手段と、
着信があり回線から電話番号を取得すると、前記格納手段を参照して、前記回線からの電話番号に対応づけられた通話音量及び／又は通話音質に自動設定する自動設定手段と、を有し、
回線から取得した電話番号が移動通信装置の電話番号であると判定すると、通話開始時における通話音量及び／又は通話音質を、予め装置に設定されているデフォルトの通話音量及び／又は通話音質にすることを特徴とする電話装置。
【請求項２】
着信があると回線から発呼側の電話番号を取得可能な電話装置であって、
通話音量及び／又は通話音質を設定する設定手段と、
当該設定手段により設定された通話音量及び／又は通話音質を、前記電話番号に対応づけて格納する格納手段と、
着信があり回線から電話番号を取得すると、前記格納手段を参照して、前記回線からの電話番号に対応づけられた通話音量及び／又は通話音質に自動設定する自動設定手段と、を有し、
回線から取得した電話番号に特定の数字列が含まれていると判定すると、通話開始時における通話音量及び／又は通話音質を、予め装置に設定されているデフォルトの通話音量及び／又は通話音質にすることを特徴とする電話装置。
【請求項３】
着信があると回線から発呼側の電話番号を取得可能な電話装置であって、
通話音量及び／又は通話音質を設定する設定手段と、
当該設定手段により設定された通話音量及び／又は通話音質を、前記電話番号に対応づけて格納する格納手段と、
着信があり回線から電話番号を取得すると、前記格納手段を参照して、前記回線からの電話番号に対応づけられた通話音量及び／又は通話音質に自動設定する自動設定手段と、を有し、
回線から取得した電話番号に特定の数字列が含まれていると判定すると、移動通信装置からの着信であると判定し、通話開始時における通話音量及び／又は通話音質を、予め装置に設定されているデフォルトの通話音量及び／又は通話音質にすることを特徴とする電話装置。
【発明の詳細な説明】
【技術分野】
【０００１】
本発明は、固定電話機や携帯電話機といった、発信者番号通知サービスに対応して発信先（相手先）の電話番号或いは当該電話番号に関連づけされた名前等の個人情報をユーザに通知する電話装置に関し、特に、相手先の電話番号に基づいて、予め指定された通話音量又は通話音質が自動的に設定される電話装置に関するものである。
【背景技術】
【０００２】
固定電話機や携帯電話機といった電話装置には、通話音量や通話音質（低音強調・高音強調等々）を調整（設定）できるようにされたものが知られている。これは、相手の電話装置の設置環境や電話装置の性能や相性、或いは電話主の声質等の相違に起因して、各通話に最適な音量・音質が相手によりおのずと異なってくるからである。
【０００３】
一般的には、このような通話音量・通話音質の設定は、通話の都度行われるものであるが、異なる相手と通話する度に設定しなおす必要があり、煩雑であることから、着信した通話の発信電話番号や、通話しようとする相手方の電話番号（直接入力や、短縮ダイヤ、ワンタッチダイヤル、リダイヤルの操作により入力される）が特定されると、その電話番号で特定される相手との間で、前回の通話に用いられた通話音量や通話音質に自動的に設定されるようにした電話装置が提案されている（例えば下記特許文献１参照）。上述のような電話装置における音量・音質自動設定機能は、電話装置に備え付けの電話帳機能を改良したものであって、電話番号と通話音量値又は通話音質値とを予め対応づけて格納しておくことで実現される。
【先行技術文献】
【特許文献】
【０００４】
【特許文献１】特開平７−３１２６３９号公報（段落［００１１］、要約）
【発明の概要】
【発明が解決しようとする課題】
【０００５】
ところで、昨今、ナンバーディスプレイ（登録商標）等の呼び名で知られる、いわゆる発信者番号通知サービスが電話業界において広く展開されている。特に、電話番号に応じて呼び出し音（着信メロディー）を代えたり、着信拒否の設定をしたりすることができる電話装置にあっては欠かすことのできないサービスであるといえる。
【０００６】
本願の発明者等は、この発信者番号通知サービスを利用して相手の電話番号情報を自動取得することができれば、特許文献１のものでは着信時にはユーザ自身が相手を識別して電話番号を逐一手入力しなければならないという問題を解消して、着信時においても、通話音量・通話音質の自動設定が可能となることを見出した。また、相手先の電話装置が、先頭３桁が‘０９０’、‘０８０’、‘０７０’の電話番号（２００９年８月現在）で特定される携帯電話、すなわち、例えば携帯電話等の移動端末装置であることを示す特定の数字列が含まれるか否かを判別し、前記特定の数次列が含まれる場合には、その都度相手の通話環境が異なるのが通常であることから、携帯電話毎に予め調整された通話音量・通話音質を適用するのは必ずしも適切ではないとの知見を得た。
【０００７】
本発明は上述の問題点に着目してなされたものであり、発信者番号通知サービスを受けて着信時において相手先の電話番号が自動取得されたときには、ボタン操作等を必要とすることなく、当該電話番号に予め対応付けされた通話音量または通話音質が自動設定される電話装置を提供することを目的とする。
【０００８】
この発明の他の目的とするところは、発信時又は着信時において、相手先の電話番号に予め対応付けされた通話音量及び／または通話音質が自動設定される電話装置であって、相手先の電話装置の電話番号に例えば携帯電話等の移動端末装置である事を示す特定の数字列が含まれる場合には、通話音量及び／又は通話音質の個別設定がされない電話装置を提供することにある。
【課題を解決するための手段】
【０００９】
前記課題を解決するために、請求項１に記載の電話装置は、着信があると回線から発呼側の電話番号を取得可能な電話装置であって、通話音量及び／又は通話音質を設定する設定手段と、当該設定手段により設定された通話音量及び／又は通話音質を、前記電話番号に対応づけて格納する格納手段と、着信があり回線から電話番号を取得すると、前記格納手段を参照して、前記回線からの電話番号に対応づけられた通話音量及び／又は通話音質に自動設定する自動設定手段と、を有し、回線から取得した電話番号が移動通信装置の電話番号であると判定すると、通話開始時における通話音量及び／又は通話音質を、予め装置に設定されているデフォルトの通話音量及び／又は通話音質にすることを特徴とする。
請求項２に記載の電話装置は、着信があると回線から発呼側の電話番号を取得可能な電話装置であって、通話音量及び／又は通話音質を設定する設定手段と、当該設定手段により設定された通話音量及び／又は通話音質を、前記電話番号に対応づけて格納する格納手段と、着信があり回線から電話番号を取得すると、前記格納手段を参照して、前記回線からの電話番号に対応づけられた通話音量及び／又は通話音質に自動設定する自動設定手段と、を有し、回線から取得した電話番号に特定の数字列が含まれていると判定すると、通話開始時における通話音量及び／又は通話音質を、予め装置に設定されているデフォルトの通話音量及び／又は通話音質にすることを特徴とする。
請求項３に記載の電話装置は、着信があると回線から発呼側の電話番号を取得可能な電話装置であって、通話音量及び／又は通話音質を設定する設定手段と、当該設定手段により設定された通話音量及び／又は通話音質を、前記電話番号に対応づけて格納する格納手段と、着信があり回線から電話番号を取得すると、前記格納手段を参照して、前記回線からの電話番号に対応づけられた通話音量及び／又は通話音質に自動設定する自動設定手段と、を有し、回線から取得した電話番号に特定の数字列が含まれていると判定すると、移動通信装置からの着信であると判定し、通話開始時における通話音量及び／又は通話音質を、予め装置に設定されているデフォルトの通話音量及び／又は通話音質にすることを特徴とする。
【発明の効果】
【００１０】
本願発明は上記構成を備えることにより、以下に示すような優れた効果を奏するものである。すなわち、回線から受信した電話番号に基づいて、その電話番号に予め対応づけられた通話音量又は通話音質が自動設定される。このため、ユーザは、通話状況を最適化するために、異なる相手から電話がかかってくるたびに通話音量又は通話音質を設定しなおすといった手間暇を省くことができ、それでいて、その相手との最適な通話音量又は通話音質で会話することが可能となる。なお、ここでいう「通話音量」とは、スピーカから出る音声やマイクから入力される音声の増幅度合いを意味し、「通話音質」とは、例えば高域音や低域音の増幅率を可変したり、ノイズリダクション機能で閾値を可変にすること等により実現される音色を意味する。
【００１１】
また、移動通信装置からの着信の場合には通話音量や通話音質はデフォルトの値となるため、周囲の環境に応じて通話音量（特に移動通信装置のユーザから発せられる音声の音量）が変動する移動通信装置からの音声が突然大きな音でスピーカから出力したり、受話側のユーザが聞えないほどの小さな音でスピーカから出力されるといった事態を回避することが可能である。
【００１２】
更に、回線から受信した電話番号に特定の数字列が含まれるか否かを判別し、特定の数次列が含まれる場合には、通話音量や通話音質はデフォルトの値となるため、周囲の環境に応じて通話音量（特に移動通信装置のユーザから発せられる音声の音量）が変動する移動通信装置等からの音声が突然大きな音でスピーカから出力したり、受話側のユーザが聞えないほどの小さな音でスピーカから出力されるといった事態を回避することが可能である。
【図面の簡単な説明】
【００１３】
【図１】本実施形態にかかる電話装置の全体構成を示す図である。
【図２】電話帳データのデータ内容を示す図である。
【図３】着信時における通話音量・通話音質の自動設定処理の手順を示すフローチャートである。
【図４】図３及び図５のフローチャートに示される処理に続く通話音量・通話音質の格納処理の手順を示すフローチャートである。
【図５】発信時における通話音量・通話音質の自動設定処理の手順を示すフローチャートである。
【発明を実施するための形態】
【００１４】
以下、添付図面を参照して本発明の実施形態を説明する。但し、以下に示す実施形態は、本発明の技術的思想を具体化した電話装置の一例を示すものであって、本発明をこの電話装置に限定することを意図するものではなく、本発明は、特許請求の範囲に含まれるその他の実施形態のものにも等しく適応し得るものである。
【実施例】
【００１５】
図１は、本発明の一実施形態（以下単に本実施形態という）にかかる電話装置の概略構成をブロック図で表したものである。本実施形態は、いわゆる留守番電話機能付きのコードレス電話システムが採用されたものを示しており、図１は、電話装置１０としての親機の構造を示すものである。なお、子機における通話音量・通話音質の設定については、本実施形態では親機の機能がそのまま利用されるだけのものであるから、子機についての説明は省略するものとする。なお、コードレス電話システムはアナログコードレス電話システム、デジタルコードレス電話システムの何れであってもよく、また、ＩＰ電話システムの端末装置であってもよい。
【００１６】
電話装置１０は、図１に示すように、制御部１１、電話回線制御部１２、音声信号処理部１３、マイク・スピーカ部１４、無線部１５、アンテナ１５Ａ、発着信電話番号履歴データ格納部１６、操作・表示部１７、電話帳データ格納部１８、メモリ部１９、留守録ユニット２０を備えて構成されている。
【００１７】
制御部１１はマイクロプロセッサからなる制御回路であり、不図示のＲＯＭ、ＲＡＭといった内蔵メモリを備えている。ＲＯＭには各部動作を制御するプログラムや、制御部１１が通話時間の計時、通話料金の算出を行ったり、通話音量や通話音質を変更するためのプログラムなどが記憶されている。ＲＡＭには制御部１１の動作時に必要な情報が一時的に書き込みされる。このＲＡＭは、後述する電話番号の一時記憶にも用いられる。
【００１８】
電話回線制御部１２は公衆回線（図示せず）からの着信、公衆回線への発信を制御するものであり、着信検出、ダイアルトーン検出などを行い、これに基づいてオンフック・オフフック状態の判別を行う。また、発信者番号通知サービスによる発信者の電話番号情報は当該電話回線制御部１２を通じて取得される。
【００１９】
音声信号処理部１３は受話音声信号を処理してマイク・スピーカ部１４を介して出力し、あるいは、マイク・スピーカ部１４を介して入力された送話音声を処理して音声信号に変換して送出する。このとき、制御部１１を介して、通話音量や通話音質の調整（設定）が介在される。
【００２０】
マイク・スピーカ部１４は、送受話器を構成するマイク・スピーカの他、電話装置本体に別途設けられた拡声用スピーカや集音マイクなどからなる。
【００２１】
無線部１５は、アンテナ１５Ａを介して１台又は複数台の不図示の子機との間で発・着信信号、送・受話音声信号を通信する。
【００２２】
発着信電話番号履歴データ格納部１６は、発着信した直近数十件分の電話番号データが随時更新書き込みされるメモリで構成されており、この電話番号データは、リダイヤル発信や、着信があった相手先にワンタッチ操作で電話をかける返信ダイヤル機能の使用時に利用される。
【００２３】
操作・表示部１７は、発信元の電話番号等が表示される液晶ディスプレイ、ファンクションキー、数字キーなどから構成されている。数字キーは発信の際の電話番号入力の他、短縮ダイヤルで発信する際に用いられる（例えば♯２７等）。また、ファンクションキーは種々の機能を選択したり設定したりするために用いられる。すなわち、ファンクションキーを操作してディスプレイに所望の機能設定画面を表示して電話装置１０の種々の機能設定をしたり、発信者番号通知サービスやキャッチホンディスプレイサービス、ネームディスプレイサービスなどのオン・オフの設定ができる。
【００２４】
また、ここでいうファンクションキーには、通話音量を上げたり下げたりするための音量ボタンと、通話音質を変更するための音質切り替えボタンを含んでいる。この例では、通話音量は「特大」、「大」、「中（デフォルト）」、「小」の４段階に切り替え可能であり、通話音質は、「高音強調」、「低音強調」、「ノーマル（デフォルト）」の３種から任意の１つを選択できるように構成されている。
【００２５】
電話帳データ格納部１８には、図２に示されるようなデータ構成を有する電話帳データが格納される。すなわち、電話帳データは、「名前」、「電話番号」、「短縮ダイヤル番号」、「着信メロディータイプ」、及び、本発明の要部となる「通話音量」、「通話音質」を示すデータからなり、各データは、電話番号に対応づけられるようにして格納されている。
【００２６】
メモリ部１９には電話帳データ格納部１８に格納されている着信メロディーのタイプ（タイプＡ〜タイプＪ）に対応する音源データが格納されている。音源データは、各種リムーバブル記録媒体から入力したり、他の機器で再生した音源データを録音して入力したりすることもできる。
【００２７】
留守録ユニット２０は、いわゆる留守番電話機能を実現するための回路で構成されており、不在着信時に流される複数種の固定音声メッセージが格納されている他、留守録用のメモリ領域などを備えている。
【００２８】
以下、図３〜図５のフローチャートを用いて、発・着信時における通話音量や通話音質の自動設定にかかる電話装置１０の動作を説明する。
【００２９】
図３は、着信時における通話音量・通話音質の自動設定処理の手順を示すフローチャートである。本実施形態の電話装置１０では、電話回線制御部１２を介して着信が確認されるまでは待機状態にある（ステップ３１Ｎｏ）。着信があると（ステップ３１Ｙｅｓ）、発信者番号通知サービスにより得られる電話番号情報により発信者の電話番号が確認される（ステップ３２）。
【００３０】
このとき、電話番号でなく「非通知」や「公衆電話」であることが確認されると（ステップ３２Ｎｏ）、通話音量・通話音質は、「デフォルト」に自動設定される（ステップＳ３５）。一方、発呼側の電話番号を受信したことを確認すると（ステップＳ３２Ｙｅｓ）、当該電話番号が制御部１１のＲＡＭに一時的に記憶され（ステップＳ３３）、次いで、ステップ３３で記憶された電話番号の、先頭３桁が‘０９０’、‘０８０’、‘０７０’の特定の数字列を含んでいると判定されるか或いは予め電話帳データ格納部１８に記憶されている電話番号と一致しない電話番号（新規番号）であると判定すると、ステップＳ３５に処理を進め、そうでなければステップＳ３６に処理を進める。
【００３１】
携帯電話等の移動通信装置の電話番号、及び電話帳データ格納部１８に記憶されていない新規番号である場合には（ステップ３４Ｙｅｓ）、通話音量・通話音質はデフォルトに自動設定される（ステップ３６）。これは、先述したように、携帯電話に対して予め定められた通話音量や通話音質を適用するのは適切とはいえず、また、新規番号である場合には、当該電話番号についての設定情報が電話帳データに格納されていないためである。一方、電話帳データ格納部１８に登録されている電話番号であることが判別されると（ステップ３４Ｎｏ）、電話帳データにおいてその電話番号に対応付けされている通話音量・通話音質に自動設定される。
【００３２】
図４のフローチャートに移り、上述のようにして着信があり、回線補足されて、通話音量・通話音質が自動設定されると、電話装置１０は、通話音量・通話音質の変更指示（ステップＳ４１）、或いは通話終了（ステップＳ４３）の指示待機状態となる。通話音量・通話音質は、先に説明したように音量ボタンや音質切り替えボタンが操作されることで変更される。当該変更操作は、通話中何度も可能であり、最後の変更値が常にＲＡＭに記憶されるようになっている（ステップ４２）。そして、オンフックにより通話が終了されると（ステップ４３Ｙｅｓ）、回線が切断される（ステップ４４）。
【００３３】
次いで、先にステップ３３でＲＡＭに一時記憶された電話番号があるか否かが判別される（ステップＳ４５）。たとえば、「非通知」や「公衆電話」である場合には電話番号は記憶されていないので（ステップＳ４５Ｎｏ）、これで処理は終了する。一方、先のステップ３３で電話番号が記憶されていても（ステップＳ４５Ｙｅｓ）、携帯電話である場合には（ステップＳ４６Ｙｅｓ）、当該電話番号がＲＡＭから消去されると同時に、当該電話番号が発着信電話番号履歴データ格納部１６に格納されて（ステップＳ４８）、処理は終了する。すなわち、携帯電話に対しては通話音量・通話音質は対応付けされないようになっている。
【００３４】
これに対して、ステップＳ３３で記憶された電話番号が、電話帳データに既に記憶されているものであったり、電話帳データに記憶されていない新規の電話番号である場合には（ステップＳ４６Ｎｏ）、終了時点での通話音量・通話音質が当該電話番号に対応付けて電話帳データに保存される（ステップＳ４７）。ここで、既に登録されていた電話番号である場合には、あらたな通話音量・通話音質が電話帳データに上書き保存され、新規の電話番号である場合には、電話番号と、これに対応づけられる通話音量・通話音質値が新たに登録される他、通話終了後に、図２に示したその他の項目データ（名前、短縮ダイヤル、着信メロディー等）の入力を促す文章等がモニターに表示され、ここで各項目値を設定することができる。無論、その他の項目については、後に、電話番号を足がかりに電話帳データから当該電話番号を検索して新たに設定することも可能である。
【００３５】
このように、ステップＳ４６において電話が通常の電話番号である場合には（ステップＳ４６Ｎｏ）、通話音量・通話音質が電話番号に対応づけて格納され（ステップＳ４７）、この後、ステップ３３で一時記憶された電話番号を消去すると同時に、一時記憶された電話番号を発着信電話番号履歴データ格納部１６に格納し（ステップＳ４８）、処理を終了する。
【００３６】
次に、図５のフローチャートに基づいて、発信時における通話音量・通話音質の自動設定処理の内容を説明する。まず、ハンドセットのオフフックが確認されるまでは待機状態にある（ステップＳ５１Ｎｏ）。ハンドセットがオフフックされると（ステップＳ５１Ｙｅｓ）、次いで電話番号の入力待ちとなる（ステップＳ５２）。なお、ここでいう電話番号の入力は、数字キーを使用した番号の直接入力の他、短縮ダイヤルやリダイヤル等も含まれる。この場合でも、電話帳データ格納部１８或いは発着信電話番号履歴データ格納部１６を参照すれば電話番号が特定できるためである。
【００３７】
ステップＳ５２で入力された電話番号は制御部１１のＲＡＭに一時記憶され（ステップＳ５３）、この電話番号に基づいてダイヤル発信が開始される（ステップＳ５４）。ここで、相手が電話に出ない場合には（ステップＳ５５Ｎｏ）処理は終了されるが、相手が電話にでて回線接続されると（ステップＳ５５Ｙｅｓ）、当該電話番号が、先頭３桁が‘０９０’、‘０８０’、‘０７０’の電話番号で特定される携帯電話、及び、電話帳データ格納部１８に記憶されていない新規番号であるか否かが判別される（ステップＳ５６）。
【００３８】
携帯電話、及び電話帳データ格納部１８に記憶されていない新規番号である場合には（ステップＳ５６Ｙｅｓ）、通話音量・通話音質はデフォルトに自動設定される（ステップＳ５７）。これは、先述したように、携帯電話に対して予め定められた通話音量や通話音質を適用するのは適切とはいえず、また、新規番号である場合には、当該電話番号についての設定情報が電話帳データに格納されていないためである。一方、電話帳データ格納部１８に登録されている電話番号であることが判別されると（ステップＳ５６Ｎｏ）、電話帳データにおいてその電話番号に対応付けされている通話音量・通話音質に自動設定される。
尚、これ以降の処理については、図４に示したものと同様であるため、説明を省略する。
【００３９】
以上のように、本実施形態の電話装置によれば、受信時には、発信者番号通知サービスを受けて取得される電話番号情報に基づいて、その電話番号に予め対応づけられた通話音量又は通話音質が自動設定される。このため、ユーザは、通話状況を最適化するために、異なる相手から電話がかかってくるたびに通話音量又は通話音質を設定しなおすといった手間暇を省くことができ、それでいて、その相手との最適な通話音量又は通話音質で会話することが可能となる。
【００４０】
また、発信時には短縮ダイヤル、ワンタッチダイヤル、リダイヤルを使用して、又は電話番号の直接入力をして電話をかける場合にも、電話をかける際には従前から必ず行われていたそれらダイヤル操作のみで、その相手との最適な通話音量又は通話音質で会話することが可能となる。
【００４１】
また、相手先の電話装置が、先頭３桁が‘０９０’、‘０８０’、‘０７０’の電話番号で特定される携帯電話である場合には、通話音量や通話音質をデフォルト値を適用しておき、通信状況に応じてユーザに適宜調整することができるようになる。
【００４２】
また、相手の電話装置が買い換えられたり、電話装置の設置環境が変化されたりして、以前に設定された通話音量、通話音質が適当なものでなくなった場合にも、一度再設定すれば（図２のステップＳ４１，Ｓ４２に相当）、以降、当該新たに設定された通話音量又は通話音質が自動設定されるようになる。
【符号の説明】
【００４３】
１０      電話装置
１１      制御部
１２      電話回線制御部
１３      音声信号処理部
１４      マイク・スピーカ部
１５      無線部
１５Ａ    アンテナ
１６      発着信電話番号履歴データ格納部
１７      操作・表示部
１８      電話帳データ格納部
１９      メモリ部
２０      留守録ユニット
【図１】
2011055106.tif 000003
【図２】
2011055106.tif 000004
【図３】
2011055106.tif 000005
【図４】
2011055106.tif 000006
【図５】
2011055106.tif 000007